(57)【特許請求の範囲】
【請求項１】
ノズルから直線状に、かつ不連続な状態で吐出物を吐出する吐出製品であって、
前記吐出製品は、水性原液５〜５０重量％および液化ガス５０〜９５重量％からなり、前記水性原液と前記液化ガスとが乳化してなるエアゾール組成物を封入したエアゾール容器と、
孔径が０．２〜２．０ｍｍ、長さが１０〜５００ｍｍであるノズルを備えた噴射ボタンとからなり、
前記エアゾール組成物を前記ノズルから吐出すると吐出物は、吐出した空間で発泡しながら、その容積が増大するとともに、一時的に浮遊が目視にて確認できることを特徴とする吐出製品。
【請求項２】
前記水性原液中に界面活性剤を０．１〜２５重量％配合する請求項１記載の吐出製品。
【請求項３】
前記吐出製品の２５℃における製品圧力が０．１〜０．６ＭＰａである請求項１または２記載の吐出製品。
【請求項４】
吐出量が２．０（ｇ／５秒）以下である請求項１、２または３記載の吐出製品。
【発明の詳細な説明】
【０００１】
【発明の属する技術分野】
本発明は吐出物および吐出製品に関する。さらに詳しくは、吐出されると空間で発泡しながらその容積を増大し、かつ一時的に浮遊する吐出物およびそれを吐出する吐出製品に関する。
【０００２】
【従来の技術および発明が解決しようとする課題】
従来のエアゾール製品やポンプ製品、スプレーガンなどの製品から吐出される吐出物は、前記製品の内容物を噴射剤や加圧剤、圧縮した空気などの圧力によりノズルから連続的に吐出される。また、ノズルから吐出される際には、前記ノズルと圧力により内容物が微細化されながら渦流を形成し、ノズルから拡がりながら、ある方向性をもって空間を移動し、やがて自然落下する。そのため、空間用殺虫剤やヘアスプレー、ペイントなどのスプレータイプの吐出製品は、特定の空間や対象物を狙って内容物を広く拡散または付着させたい場合には好適に用いられている。
【０００３】
しかしながら、前記吐出製品の吐出物は吐出された方向にのみ拡散し、かつ内容物が微細化されても空間では浮遊することなく自由落下するため、吐出物の拡散時間が短い。そのため製品の目的によっては内容物の効果を充分発揮できないまま落下してしまうことがあった。また、拡散時間を長くするために、吐出物を細かくしすぎると、使用者が吐出物を吸引しやすくなり好ましくない。
【０００４】
また、ガラスクリーナーや頭髪用セット剤など、吐出時は液状でありながら吐出した空間で徐々に発泡し、塗布面で大きく発砲するスプレーフォームと呼ばれる吐出製品がある。しかし、この吐出物は、発泡により吐出物の容積は大きくなるが、吐出し始める時間が遅く、空間内にある状態では吐出物の比重が大きいため、前述のスプレータイプと同様に、依然方向性をもって移動し、空間で浮遊することなく自由落下してしまう。
【０００５】
本発明は、叙上の事情に鑑み、吐出されると、その空間で発泡しながら容積を増大し、かつ一時的に浮遊する吐出物およびそれを吐出する吐出製品を提供することを目的とする。
【０００６】
【課題を解決するための手段】
本発明の請求項１記載の吐出物は、ノズルから直線状に、かつ不連続な状態で吐出される吐出物であって、空間で発泡しながら、その容積が増大するとともに、一時的に浮遊が目視にて確認できることを特徴とする。
【０００７】
また、本発明の請求項２記載の吐出製品は、請求項１記載の吐出物を吐出することを特徴とする。
【０００８】
【発明の実施の形態】
本発明の吐出物は、ノズルから直線状に、かつ不連続な状態で吐出される吐出物であって、空間で発泡しながら、その容積が増大するとともに、一時的に浮遊が目視にて確認できる特徴を有する。
【０００９】
まず、吐出物の吐出形態について説明する。容器を出た内容物は、ノズル内部の通路に入り、容器内部から圧力を受けて通路抵抗に逆らいながらゆっくりとノズルの開口部へ移動する。ノズル内部の通路では、通路抵抗が大きく、内容物に加わる力が大きいため、内容物中の液化ガスはすぐに気化せず、液化ガスの状態で多く存在する。内容物がノズルの開口部付近にまで移動すると、液化ガスの一部が突沸して内容物の一部に推進力を与え、速度を速めてノズルから押し出されるように、直線状に吐出される。このとき、内容物は、液化ガスの気化ガスにより内容物と内容物とが分離された不連続の状態となり、内容物が間欠的に吐出される。
【００１０】
吐出された内容物（吐出物）は、ノズルから吐出された直後は液状、またはわずかに発泡した発泡物であるが、空間を移動しながらその容積が増大し、目で見えるようになり、吐出物の比重は軽くなっていく。さらに、吐出物の容積の増大に伴ない空気抵抗も大きくなり、吐出方向への移動が遅くなり、やがて吐出方向への移動が停止する。吐出物の比重が非常に小さくなり、移動速度を失った状態になると、吐出物は方向性をもたずに空間で浮遊可能となり、空間での気流に乗ってしばらく拡散する。空間を浮遊する吐出物はこれまでになく、空間での滞留時間が非常に長い。その結果、吐出物の状態を楽しむだけでなく、空間を処理する有効成分を配合することで、長時間有効成分を拡散させることができる。
【００１１】
空間で浮遊する吐出物は、水性原液を液膜とする発泡物であり、この発泡物の内部には水性原液と乳化していた液化ガスの気化ガスが存在している。吐出物の大きさは直径０．０１〜１０ｍｍ程度であり、０．０１ｍｍ未満では目視するのが困難となり、人体に吸引しやすくなる。１０ｍｍをこえると吐出物は浮遊し難くなり、効果が充分発揮できない。
【００１２】
前記水性原液は、有効成分や界面活性剤などを水に溶解、または分散させたものである。
【００１３】
前記有効成分は、製品の目的や用途に応じて適宜選択され、たとえば消臭剤、殺菌・防腐剤、清涼剤、害虫忌避剤、殺虫剤、効力増強剤、頭髪用セット剤、トリートメント剤、保湿剤、紫外線吸収剤、アミノ酸、ビタミン類、ホルモン類、酸化防止剤、各種抽出液、かゆみ止め、消炎鎮痛剤、収れん剤、抗炎症剤、局所麻酔剤、抗ヒスタミン剤、美白剤、香料などが用いられる。
【００１４】
前記消臭剤としては、たとえばラウリル酸メタクリレート、安息香酸メチル、フェニル酢酸メチル、ゲラニルクロトレート、ミリスチン酸アセトフェノン、酢酸ベンジル、プロピオン酸ベンジルなどがあげられる。
【００１５】
前記殺菌・防腐剤としては、たとえばパラオキシ安息香酸エステル、安息香酸ナトリウム、ソルビン酸カリウム、フェノキシエタノール、塩化ベンザルコニウム、塩化ベンゼトニウム、塩化クロルヘキシジン、感光素、パラクロルメタクレゾールなどがあげられる。
【００１６】
前記清涼剤としては、たとえば１−メントール、カンフルなどがあげられる。
【００１７】
前記害虫忌避剤としては、たとえばＮ，Ｎ−ジエチル−ｍ−トルアミド（ディート）、力プリル酸ジエチルアミドなどがあげられる。
【００１８】
前記殺虫剤としては、フタルスリン、アレスリン、ペルメトリン、シスメトリン、レスメトリン、ｄ−フェノトリンなどがあげられる。
【００１９】
前記効力増強剤としては、サイネピリン、ピペロニルブトキサイトなどがあげられる。
【００２０】
前記頭髪用セット剤としては、たとえばジアルキルアミノエチル（メタ）アクリレート・（メタ）アクリル酸アルキルエステル共重合体、アクリル酸オクチルアミド・アクリル酸ヒドロキシプロピル・メタクリル酸ブチルアミノエチル共重合体、ビニルピロリドン・酢酸ビニル共重合体、アクリル酸ヒドロキシエチル・アクリル酸プチル・アクリル酸メトキシエチル共重合体、アクリル酸アルカノールアミン、アクリル酸アルキル共重合体エマルジョン、アクリル酸アルキル・スチレン共重合体エマルジョンなどがあげられる。
【００２１】
前記トリートメント剤としては、塩化ステアリルトリメチルアンモニウム、塩化ラウリルトリメチルアンモニウムなどがあげられる。
【００２２】
前記保湿剤としては、たとえばプロピレングリコール、グリセリン、１，３−ブチレングリコール、コラーゲン、キシリトール、ソルビトール、ヒアルロン酸、力ロニン酸、乳酸ナトリウム、ｄ，１−ピロリドンカルボン酸塩、ケラチン、カゼイン、レシチンなどがあげられる。
【００２３】
前記紫外線吸収剤としては、たとえばパラアミノ安息香酸、パラアミノ安息香酸モノグリセリンエステル、サリチル酸オクチル、サリチル酸フェニル、パラメトキシケイ皮酸イソプロピル、パラメトキシケイ皮酸オクチルなどがあげられる。
【００２４】
前記アミノ酸としては、たとえばグリシン、アラニン、ロイシン、セリン、トリプトファン、シスチン、システイン、メチオニン、アスパラギン酸、グルタミン酸、アルギニンなどがあげられる。
【００２５】
前記ビタミン類としては、たとえばビタミンＡ油、レチノール、パルミチン酸レチノール、塩酸ピリドキシン、ニコチン酸ベンジル、ニコチン酸アミド、ニコチン酸ｄ，１−α−トコフェロール、ビタミンＤ２（エルゴカシフェロール）、ｄ，１−α一トコフェロール、酢酸ｄ，１−α−トコフェロール、パントテン酸、ビオチンなどがあげられる。
【００２６】
前記ホルモン類としては、たとえばエラストラジオール、エチニルエストラジオールなどがあげられる。
【００２７】
前記酸化防止剤としては、たとえばアスコルビン酸、α−トコフェロール、ジブチルヒドロキシトルエン、ブチルヒドロキシアニソールなどがあげられる。
【００２８】
前記各種抽出液としては、たとえばシャクヤクエキス、ヘチマエキス、バラエキス、レモンエキス、アロエエキス、ショウブ根エキス、ユーカリエキス、セージエキス、茶エキス、海藻エキス、プラセンタエキス、シルク抽出液などがあげらわる。
【００２９】
前記かゆみ止めとしては、リドカイン、ジフェンヒドラミン、酢酸トコフェロール、グリチルリチン酸ジカリウムなどがあげられる。
【００３０】
前記消炎鎮痛剤としては、たとえばサリチル酸メチル、カンフル、ジフェンヒドラミン、インドメタシン、ピロキシカム、フェルビナク、ケトプロフェン、クロタミトンなどがあげられる。
【００３１】
前記収れん剤としては、たとえば酸化亜鉛、アラントインヒドロキシアルミニウム、タンニン酸、クエン酸、乳酸などがあげられる。
【００３２】
前記抗炎症剤としては、たとえばアラントイン、グリシルレチン酸、アズレンなどがあげられる。
【００３３】
前記局所麻酔剤としては、たとえば塩酸ジブカイン、塩酸テトラカイン、塩酸リドカインなどがあげられる。
【００３４】
前記抗ヒスタミン剤としては、たとえば塩酸ジフェンヒドラミン、マレイン酸クロルフェニラミンなどがあげられる。
【００３５】
前記美白剤としては、たとえばアルブチン、コウジ酸などがあげられる。
【００３６】
前記有効成分は、原液中に０．０５〜２０重量％であり、好ましくは０．１〜１５重量％配合される。これは、有効成分が０．０５重量％未満の場合は、有効成分の効果が充分に発揮できない傾向があり、一方、２０重量％をこえると、有効成分濃度が高すぎ、有効成分によっては人体へ悪影響を及ぼす場合があるからである。
【００３７】
前記界面活性剤は、ノズル内で液化ガスを突沸させ、さらに吐出後徐々に液化ガスを気化させて吐出物を発泡させるための成分であり、たとえば非イオン型界面活性剤、陰イオン型界面活性剤、陽イオン型界面活性剤、両性型界面活性剤、高分子型界面活性剤、シリコン系界面活性剤などがあげられる。
【００３８】
前記非イオン型界面活性剤としては、たとえばソルビタン脂肪酸エステル、グリセリン脂肪酸エステル、デカグリセリン脂肪酸エステル、ポリグリセリン脂肪酸エステル、ポリオキシエチレンソルビタン脂肪酸エステル、ポリオキシエチレンソルビット脂肪酸エステル、ポリオキシエチレングリセリン脂肪酸エステル、ポリエチレングリコール脂肪酸エステル、ポリオキシエチレンアルキルエーテル、ポリオキシエチレンポリオキシプロピレンアルキルエーテル、ポリオキシエチレンアルキルフェニルエーテル、ポリオキシエチレンヒマシ油・硬化ヒマシ油誘導体などがあげられる。
【００３９】
前記陰イオン型界面活性剤としては、たとえば脂肪酸のケン化物、アルキル硫酸塩、ポリオキシエチレンアルキルエーテル硫酸塩、Ｎ−アシルアミノ酸塩、Ｎ−アシルメチルタウリン塩、ポリオキシエチレンアルキルエーテル酢酸塩、アルキルリン酸塩、ポリオキシエチレンアルキルエーテルリン酸塩、ラウリル硫酸ナトリウム、ラウリル硫酸カリウムなどの高級アルキル硫酸エステル塩、ポリオキシエチレンラウリル硫酸トリエタノールアミン、ポリオキシエチレンラウリル硫酸ナトリウムなどのアルキルエーテル硫酸エステル塩、ラウロイルサルコシンナトリウムなどのＮ−アシルサルコシン酸、Ｎ−ミリストイル−Ｎ−メチルタウリンナトリウム、ヤシ油脂肪酸メチルタウリッドナトリウム、ラウリルメチルタウリッドナトリウムなどの高級脂肪酸アミドスルホン酸塩、ポリオキシエチレンオレイルエーテルリン酸ナトリウム、ポリオキシエチレンステアリルエーテルリン酸などのリン酸エステル塩、ジ−２−エチルヘキシルスルホコハク酸ナトリウム、モノラウロイルモノエタノールアミドポリオキシエチレンスルホコハク酸ナトリウム、ラウリルポリプロピレングリコールスルホコハク酸ナトリウムなどのスルホコハク酸塩、リニアドデシルベンゼンスルホン酸ナトリウム、リニアドデシルベンゼンスルホン酸トリエタノールアミン、リニアドデシルベンゼンスルホン酸ナトリウムなどのアルキルベンゼンスルホン酸塩、Ｎ−ラウロイルグルタミン酸モノナトリウム、Ｎ−ステアロイルグルタミン酸ジナトリウム、Ｎ−ミリストイル−Ｌ−グルタミン酸モノナトリウムなどのＮ−アシルグルタミン酸塩、硬化ヤシ油脂肪酸グリセリン硫酸ナトリウムなどの高級脂肪酸エステル硫酸エステル塩、ロート油などの硫酸化油、ポリオキシエチレンアルキルエーテルカルボン酸、ポリオキシエチレンアルキルアリルエーテルカルボン酸塩、α−オレフィンスルホン酸塩、高級脂肪酸エステルスルホン酸塩、二級アルコール硫酸エステル塩、高級脂肪酸アルキロールアミド硫酸エステル塩、ラウロイルモノエタノールアミドコハク酸ナトリウム、Ｎ−パルミトイルアスパラギン酸ジトリエタノールアミン、カゼインナトリウムなどがあげられる。
【００４０】
前記脂肪酸のケン化物の代表例としては、たとえばラウリン酸、ミリスチン酸、パルミチン酸、ステアリン酸、イソステアリン酸、ベヘニン酸、オレイン酸、リノール酸、リノレイン酸などの脂肪酸類と、水酸化ナトリウム、水酸化カリウム、水酸化アンモニウム、トリエタノールアミン、ジエタノールアミンなどのアルカリ類との反応物などがあげられる。
【００４１】
前記陽イオン型界面活性剤としては、たとえばアルキルアンモニウム塩、アルキルベンジルアンモニウム塩などがあげられる。
【００４２】
前記両性型界面活性剤としては、たとえば酢酸べタイン、レシチンなどがあげられる。前記高分子型界面活性剤としては、たとえばポリアルキルビニルピリジニウム、アルキルフェノールポリマー誘導体、スチレン・マレイン酸重合物誘導体などがあげられる。前記シリコン系界面活性剤としては、たとえばポリオキシエチレン・メチルポリシロキサン共重合体、ポリオキシプロピレン・メチルポリシロキサン共重合体、ポリ（オキシエチレン・オキシプロピレン）・メチルポリシロキサン共重合体などがあげられる。
【００４３】
前記界面活性剤は、単独で、または２種以上を混合して用いてもよく、好ましくは吐出された吐出物が空間で浮遊しやすい泡を形成しやすい点から、陰イオン型界面括性剤を、とくに脂肪酸のケン化物を含有するものを用いる。
【００４４】
前記界面活性剤は、水性原液中０．１〜２５重量％であり、好ましくは０．５〜２０重量％配合することができる。これは、０．１重量％未満の場合は、液化ガスとの乳化物を形成するのが困難となり、液化ガスがノズル内でほとんど気化するため霧状で吐出され、吐出後も発泡しなくなる。一方、２５重量％をこえると、べたつき感や皮膚への刺激性が強くなるなど、使用感がわるくなるからである。
【００４５】
水性原液には前記有効成分や界面活性剤以外にも、低級アルコールや他の成分を配合することができる。
【００４６】
前記低級アルコールは、有効成分の溶解剤や、冷却感の付与、乾燥性の向上など、使用感を向上させたり、吐出後の発泡し始める時間や、発泡の大きさ、泡質など、発泡性などを調整するために用いられる。
【００４７】
前記低級アルコールとしては、たとえばエタノール、インブロピルアルコールなど、炭素数が２〜３の１価のアルコールがあげられる。
【００４８】
前記低級アルコールは、水性原液中１〜５０重量％であり、好ましくは３〜４０重量％配合される。これは、低級アルコールが、１重量％未満の場合は、低級アルコールを配合する効果が得られにくくなり、一方、５０重量％をこえると水性原液と液化ガスとが乳化しにくくなり、スプレー状で噴射されるからである。
【００４９】
前記他の成分としては、油成分、ｐＨ調整剤、高分子化合物、粉体などがあげられる。
【００５０】
前記油成分は、使用感の向上や、撥水性などの効果を付与するための成分であり、たとえばシリコン油、炭化水素、エステル油、高級脂肪酸、高級アルコール、ロウ、油脂などがあげられる。
【００５１】
前記シリコン油としては、たとえばメチルポリシロキサン、デカメチルテトラシロキサン、オクタメチルシクロテトラシロキサン、メチルフェニルポリシロキサンなどがあげられる。
【００５２】
前記炭化水素としては、ノルマルペンタン、イソペンタン、ノルマルヘキサン、イソヘキサン、流動パラフィン、イソパラフイン、ケロシン、スクワラン、スクワレンなどがあげられる。なお、ノルマルペンタン、イソペンタン、ノルマルヘキサン、イソヘキサンなどの炭素数が５〜６の炭化水素については、発泡性などを調整するために、前記液化ガスとともに配合しても良い。
【００５３】
前記エステル油としては、たとえばミリスチン酸イソプロピル、オクタン酸セチル、ミリスチン酸オクチルドデシル、パルミチン酸イソプロピル、乳酸セチル、酢酸エチル、フタル酸ジエチル、フタル酸ジエトキシエチル、コハク酸ジエトキシエチルなどがあげられる。
【００５４】
前記高級脂肪酸としては、たとえばラウリン酸、ミリスチン酸、パルミチン酸、ステアリン酸、オレイン酸などがあげられる。
【００５５】
前記高級アルコールとしては、たとえばラウリルアルコール、セチルアルコール、ステアリルアルコール、べへ二ルアルコール、ミリスチルアルコール、オレイウアルコール、ラノリンアルコールなどがあげられる。
【００５６】
前記ロウとしては、たとえばミツロウ、ラノリン、酢酸ラノリン、力ンデリラロウなどがあげられる。
【００５７】
前記油脂としては、たとえばツバキ油、トウモロコシ油、オリーブ油、ナタネ油、ゴマ油、ヒマシ油、アマ二油、サフラワー油、ホホバ油、ヤシ油などがあげられる。
【００５８】
前記ｐＨ調整剤は、原液や内容物（エアゾール組成物）を長期間安定化させるために用いられ、金属製容器への腐食を少なくしたり、有効成分が経時的に分解されることを防止する。
【００５９】
前記ｐＨ調整剤としては、たとえば乳酸、クエン酸、クエン酸ナトリウム、グリコール酸、コハク酸、酒石酸、炭酸カリウム、炭酸水素ナトリウム、炭酸水素アンムニウムなどがあげられる。
【００６０】
前記高分子化合物は、原液の粘度を調整したり、泡の弾力性や消泡性、乾燥性など、泡質を調整するなどの目的で用いられる。
【００６１】
前記高分子化合物としては、たとえば力ラギーナン、ペクチン、デンプン、ゼラチン、コラーゲン、力ルボキシメチルデンプン、エチルセルロース、結晶セルロース、力ルボキシビニルポリマ一、キサンタンガムなどがあげられる。これら高分子化合物のうち、吸水性に優れ、泡比重を小さくでき、浮遊しうる泡を形成しやすい点からゼラチンを用いることが好ましい。
【００６２】
前記粉体は、粉体自体が有効成分として作用したり、他の有効成分を担持する担体、保護剤、付着剤、固体潤滑剤などとして用いられ、たとえばタルク、酸化亜鉛、力オリン、雲母、炭酸マグネシウム、炭酸カルシウム、ケイ酸亜鉛、ケイ酸マグネシウム、ケイ酸アルミニウム、ケイ酸カルシウム、シリ力、ゼオライト、セラミックパウダー、窒化ホウ素などがあげられる。
【００６３】
つぎに添付図面に基づいて本発明の吐出製品を説明する。
【００６４】
図１に示す本発明の一実施の形態にかかわる吐出製品（エアゾール製品）は、有底筒状の容器本体１の上端開口部にエアゾールバルブ２を装着し、内容物（エアゾール組成物）を封入したエアゾール容器３と、前記エアゾールバルブ２のステム４に嵌着される噴射ボタン５と、該噴射ボタン５のノズル挿入孔６に嵌着される細径のノズル７から構成されている。
【００６５】
前記エアゾール容器３としては、容器本体１の一重構造エアゾール容器、容器本体１とその内部に収納される内部容器からなる二重構造エアゾール容器または容器本体１とその内面に摺動自在に設けられるピストンからなるピストン型エアゾール容器などであり、内容物の種類により適宜選定することができる。この容器本体１としては、アルミニウム製容器、鋼製容器などの金属製容器またはポリエチレンテレフタレート（ＰＥＴ）やポリブチレンテレフタレート（ＰＢＴ）などの樹脂製容器、ガラス製容器などの耐圧性容器などを用いることができる。また、前記エアゾールバルブ２としては、本発明においては、とくに限定されるものではないが、容器本体１の上端開口部に形成されるビード部８にガスケット９を介して取り付けられるマウンティングカップ１０と該マウンティングカップ１０の中央内部に支持される噴射バルブ１１とからなるものを用いることができる。該噴射バルブ１１は、ハウジング１２と、該ハウジング１２内に配設され、連通孔１３が形成されたステム４と、該ステム４を外方へ付勢するスプリング１４と、前記ステム４の外周に嵌装されるステムラバー１５とから構成され、該ステム４の下方に設けられたスプリング１４によってステムラバー１５がマウンティングカップ８に押圧され、容器本体１がマウンティングカップ８とステムラバー１５とのあいだでシールして固定されている。前記バルブハウジング１２の下部にはディップチューブ１６が装着されている。
【００６６】
前記噴射ボタン５は、内部に前記ステム４とノズル７に連通する噴射通路１７が形成されている。
【００６７】
前記内容物（エアゾール組成物）としては、吐出すると空間で発泡しながら容積が増大し、かつ空間で浮遊する吐出物が得られるもの、たとえば前述の水性原液と液化ガスとからなり、水性原液と液化ガスとが乳化した内容物（エアゾール組成物）があげられる。
【００６８】
前記液化ガスとしては、たとえばプロパン、ｎ−ブタン、ｉ−ブタンおよびこれらの混合物である液化石油ガス、ジメチルエーテル、フロン類およびこれらの混合物などを使用することができる。とくに、水性原液との乳化物を作りやすい点から、液化石油ガスを主成分とするものが好ましく、液化ガス中４０重量％以上配合されることが好ましい。また、加圧剤として圧縮ガスを配合しても良く、たとえば窒素、炭酸ガス、亜酸化窒素、圧縮空気などがあげられる。
【００６９】
前記内容物（エアゾール組成物）は、前記水性原液と液化ガスとをエアゾール容器１の内部で、またはエアゾール容器１に充填する前に乳化させることにより得られる。
【００７０】
本実施の形態のエアゾール製品は、前記内容物（エアゾール組成物）をエアゾール容器１に充填することにより得られる。
【００７１】
そして、本発明の吐出製品の特徴は、吐出形態にある。すなわち前記噴射ボタン５を操作すると、内容物（エアゾール組成物）がノズル７の先端より吐出されるが、ノズル７が細径であり、通路抵抗が大きいため、液化ガスの一部はノズル７または噴射通路１７内で液化した状態で存在し、ステム４の連通孔１３を出た内容物（エアゾール組成物）はノズル７の先端に移動しながらノズル７内で液化ガスの一部が突沸する。該突沸の推進力により、ノズル７内の内容物（エアゾール組成物）は分断され、かつ急速にノズル７内部を移動し、ノズル７の先端から直線状に、かつ不連続に吐出される。
【００７２】
さらに吐出物は、吐出直後は微細で目に見えない大きさであるが、吐出物中の液化ガス、とくに水性原液と乳化していた液化ガスが徐々に気化することにより、吐出物は次第に発泡し、その容積は大きくなっていく。そして、目視にて確認できる程度の大きさになると、吐出物の比重は非常に軽くなるとともに、空気抵抗を大きく受けて吐出方向への移動が止まり、空間で一時浮遊する。また、吐出操作を停止しても、ノズル内に残っている内容物（エアゾール組成物）が徐々に吐出されるので、しばらくは連続して吐出することができる。
【００７３】
この吐出形態を得る条件としては、水性原液と液化ガスとの重量％比、製品圧力、ノズルの孔径、ノズルの長さおよび／または吐出量などにより適宜選定することができる。
【００７４】
たとえば前記液化ガスの配合量は、内容物（エアゾール組成物）中５０〜９５重量％、好ましくは６０〜９０重量％配合でき、前記水性原液と液化ガスの配合比は５／９５〜５０／５０重量％にされる。これは、前記液化ガスの配合量が５０重量％未満では、液化ガス量が少なくなるため、ノズル内部での液化ガスの突沸による推進力が弱くなり、不連続的に吐出し難くなる。さらに吐出後の発泡が少なくなり、吐出物が目視にて確認できるだけの大きさになりにくく、空間で浮遊し難くなる。一方、９５重量％をこえると、水性原液の配合量が少なくなりすぎるため、有効成分を効果的に付与することができないからである。
【００７５】
前記２５℃における製品圧力は、０．１ＭＰａ未済の場合、低温時に吐出しにくくなるとともに、０．６０ＭＰａをこえると吐出の勢いが強くなり、ノズル内部の移動が早くなりすぎ、連続的な吐出状態になりやすい。また、噴射ボタンの作動操作を停止すると直ちに吐出も停止する。このため、製品圧力は、０．１〜０．６ＭＰａであり、好ましくは０．１５〜０．５ＭＰａである。
【００７６】
前記ノズル孔径は、０．２ｍｍ未満の場合、通路抵抗か大きくなりすぎ吐出しにくくなる。また、エアゾールバルブからの供給量が過剰になりやすく、噴射ボタンが抜け飛んだり、噴射ボタンのステム挿入口から内容物（エアゾール組成物）があふれ出す。２．０ｍｍをこえると吐出の勢いが強くなり、ノズル内部の移動が早くなりすぎ、連続的な吐出状態になりやすい。また、噴射ボタンの作動操作を停止すると直ちに吐出も停止する。このため、ノズル孔径は、０．２〜２．０ｍｍであり、好ましくは０．３〜１．５ｍｍである。
【００７７】
前記ノズルの長さは、１０ｍｍ未満の場合、ノズル内での内容物（エアゾール組成物）の滞留時間が短いため、液化ガスの突沸が起こりにくく、連続的な吐出状態となり、吐出物が大きくなりすぎ、空間で浮遊できなくなる。また、噴射ボタンの作動操作を停止すると直ちに吐出も停止する。５００ｍｍをこえると製品圧力をかなり高くしないと吐出できない。このため、ノズルの長さは、１０〜５００ｍｍであり、好ましくは３０〜３００ｍｍである。なお、ノズルの形状は、とくに限定されず、直線、曲線または鋭角に折り曲がっていてもよく、さらには蛇管状にしてもよい。ノズルを蛇管状にし、噴射ボタンの周囲を巻くように設けた場合、ノズルを収容しやすくなる。直線以外の形状にすることで一層通路抵抗を大きくすることができ、この場合、前記ノズルの好ましい長さよりも短くすることができる。
【００７８】
前記吐出量は、２．０（ｇ／５秒）をこえると吐出の勢いが強く、ノズル内での内容物（エアゾール組成物）の滞留時間が短いため、液化ガスの突沸が起こりにくく、連続的な吐出状態となり、吐出物が大きくなりすぎ、空間で浮遊できなくなる。また、噴射ボタンの作動操作を停止すると直ちに吐出も停止する。このため、吐出量は、２．０（ｇ／５秒）以下であり、好ましくは１．５（ｇ／５秒）以下である。
【００７９】
なお、本発明の吐出製品は、前述のエアゾール製品に限定されるものではない。たとえば図２に示される吐出製品は、噴射ボタン２１のステム挿入口２２に、弁座２３およびボール２４からなる逆止弁２５を、さらにノズル２６の一部に閉鎖部２７を設けて、前記逆止弁２５と閉鎖部２７とのあいだで密閉される空間２８を有するものを容器として用い、この容器をエアゾールバルブのステムに装着して内容物を前記空間２８に充填する。そして、使用時には、ノズル２６を折り曲げるなどして閉鎖部２７を解放すると、前記空間２８から内容物がノズル２６へと移動し、吐出する。または図３に示される吐出製品は、噴射ボタン３１に嵌着されるノズル基部３２に、弁座３３とボール３４からなる逆止弁３５を設けて、ノズル部分のみを容器とすることもできる。これらの場合、容器が嵩張らないため、携帯するのに便利である。なお、閉鎖部の代わりに、開閉自在な弁を設けて、容器を繰り返し使用することもできる。
【００８０】
【実施例】
つぎに本発明を実施例に基づいて説明するが、本発明はかかる実施例のみに限定されるものではない。
【００８１】
つぎに示す水性原液と液化石油ガスからなる内容物（エアゾール組成物）をエアゾール容器に封入し吐出製品を得た。なお、２５℃における製品圧力０．２２ＭＰａであった。そして、孔径が０．４５ｍｍであり、長さが１００ｍｍであるノズルを有する噴射ボタンを嵌着した。なお、このときの吐出製品の噴射量は、０．６（ｇ／５秒）である。
【００８２】
得られた吐出製品の吐出状況をビデオにて撮影し、０．０３秒間隔で吐出後の吐出物の状況を確認した。その結果、ノズル４１からの吐出直後（０．０３秒後）の吐出物は確認できなかった（ただし、図４（ａ）においては見えるように現している）が、図４（ｂ）に示されるように、図０．０６秒後には発泡により増大した吐出物４２が確認される。そして、図４（ｃ）に示されるように、０．０９秒後には吐出物４２は、さらに大きくなり、吐出方向への移動は０．０６秒時と比較してかなり遅くなっている。ついで図４（ｄ）に示されるように、０．１５秒後には吐出物４２は吐出方向への移動はほとんどなく、空間で浮遊した状態が確認された。つぎに図４（ｅ）に示されるように、吐出物４２は吐出方向とは無関係にランダムな方向にしばらく浮遊し、吐出物４２はゆっくりと落下した。
【００８３】
0004751524.tif 000002
【００８４】
0004751524.tif 000003
【００８５】
【発明の効果】
以上説明したとおり、本発明によれば、ノズルから直線状に、かつ不連続な状態で吐出され、吐出された空間で発泡しながら、その容積が増大し、一時的に浮遊する吐出物が得られる。該吐出物は、視覚的に面白く、また有効成分を空間で長く拡散させることができる。
【図面の簡単な説明】
【図１】本発明の一実施の形態にかかわる吐出製品（エアゾール製品）を示す要部断面図である。
【図２】本発明の他の実施の形態にかかわる吐出製品を示す断面図である。
【図３】本発明のさらに他の実施の形態にかかわる吐出製品を示す断面図である。
【図４】本発明にかかわる吐出製品の吐出状況を説明するための模式図である。
【符号の説明】
１  容器本体
２  エアゾールバルブ
３  エアゾール容器
４  ステム
５  噴射ボタン
６  ノズル挿入孔
７  ノズル
８  ビード部
９  ガスケット
１０  マウンティングカップ
１１  噴射バルブ
１２  ハウジング
１３  連通孔
１４  スプリング
１５  ステムラバー
１６  ディップチューブ
１７  噴射通路
【図１】
0004751524.tif 000004
【図２】
0004751524.tif 000005
【図３】
0004751524.tif 000006
【図４】
0004751524.tif 000007